(57)【要約】      （修正有）【課題】印判本体からキャップが簡単に外れないキャップの取付構造を提供する。【解決手段】上端に印字面２１を有する印判本体４とこれに取り付けられるキャップ６とのどちらか一方に係合突起６１を設け、他方に前記係合突起６１が上下方向に摺動自在に係合する係合溝部と、前記係合溝部の側面外方に前記係合突起６１が側方にスライドして係止する係止溝部と、を形成してなる固定用溝５を設けたことを特徴とする。また、前記係合溝部の側面を、上端から下方に向かって傾斜する傾斜ガイドとしたことを特徴とする印判本体４へのキャップ６の取付構造である。また、前記係止溝部に、前記係合突起６１が嵌合する嵌合突部を設けたことを特徴とする印判本体４へのキャップ６の取付構造である。【選択図】図１
2011051106.tif 000002
【特許請求の範囲】
【請求項１】
上端に印字面を有する印判本体とこれに取り付けられるキャップとのどちらか一方に係合突起を設け、
他方に前記係合突起が上下方向に摺動自在に係合する係合溝部と、前記係合溝部の側面外方に前記係合突起が側方にスライドして係止する係止溝部と、
を形成してなる固定用溝を設けたことを特徴とする印判本体へのキャップの取付構造。
【請求項２】
前記係合溝部の側面を、上端から下方に向かって傾斜する傾斜ガイドとしたことを特徴とする請求項１に記載の印判本体へのキャップの取付構造。
【請求項３】
前記係止溝部に、前記係合突起が嵌合する嵌合突部を設けたことを特徴とする請求項１または請求項２に記載の印判本体へのキャップの取付構造。
【発明の詳細な説明】
【技術分野】
【０００１】
本発明は、印判本体にキャップを取り付ける、印判本体へのキャップの取付構造に関するものである。
本発明において、「上方」、「上端」とは印字面側を指し、「下方」、「下端」とは印判本体の底側を指す。
【背景技術】
【０００２】
印字面の破損や印字面に付着したインキによる汚損を防止するため、従来より印判本体にはキャップを取り付けている。印判本体とキャップの取り付け方法としては、嵌合によって被嵌する構成が用いられている。
しかし、印判を携帯電話や手帳等に取付けて使用する場合、キャップあるいは印判本体に設けたストラップ用の孔に紐を通して取り付けているため、キャップと印判本体を単に被嵌しているだけでは、簡単にキャップが外れてしまい、印字面の破損やインキによる汚損が生じていた。
これを解決するために、例えば、特許文献１には、外筒とキャップを係止するために、外筒に設けた円頭がキャップに設けたＬ字形の嵌合溝に嵌合し、キャップを回動することで、円頭が嵌合溝の終端に係止される構成が開示され、外筒とキャップを上下方向に抜け止め状に係止することで、キャップが簡単に外れないようにしている。
【特許文献１】実開昭４９−５３８１７号公報
【発明の開示】
【発明が解決しようとする課題】
【０００３】
特許文献１の印判は円筒形状であるため、キャップを回動することで上記係止が可能であるが、印判が略角柱形状の場合は、キャップを回動することができない。
また、仮に内周面を円形としても、印字面が円形である場合は問題ないが、印字面が矩形の場合は、印字面の外側に円形部を要するため、印判の外形が１回り大きい形状となり、また、仮に印判の外形に制約がある場合は、印字面の有効面積が低下する不具合が生じていた。
【課題を解決するための手段】
【０００４】
上記の課題を解決するために完成された第１の発明の印判本体へのキャップの取付構造は、上端に印字面を有する印判本体とこれに取り付けられるキャップとのどちらか一方に係合突起を設け、他方に前記係合突起が上下方向に摺動自在に係合する係合溝部と、前記係合溝部の側面外方に前記係合突起が側方にスライドして係止する係止溝部と、を形成してなる固定用溝を設けたことを特徴とする。
また、第２の発明は、前記係合溝部の側面を、上端から下方に向かって傾斜する傾斜ガイドとしたことを特徴とする第１の発明の印判本体へのキャップの取付構造である。
また、第３の発明は、前記係止溝部に、前記係合突起が嵌合する嵌合突部を設けたことを特徴とする第１の発明または第２の発明の印判本体へのキャップの取付構造である。
【発明の効果】
【０００５】
本発明は、印判本体に対してキャップを上下方向に対して側方にスライドして取り付けるため、印字面が矩形の場合であっても、印字面の外側に円形部が不要となり、印判の外形が１回り大きい形状となることはない。また、仮に印判の外形に制約がある場合でも、印字面として、最大限の面積を利用することができる。
また、係合溝部の側面を傾斜ガイドとすると、係合突起が係合溝部に誘導されるため、印判本体とキャップをより迅速に取り付けることができる。
係止溝部に、係合突起が嵌合する嵌合突部を設けると、係合突起が係止溝部に係止された状態を維持することができるため、印判本体から不用意にキャップが外れることを防止できる。
【発明を実施するための最良の形態】
【０００６】
次に、本発明の第１の実施形態を、図１〜３に基づいて詳細に説明する。
箱体１は、ＰＯＭ（ポリアセタール）樹脂等の耐インク性に優れた強靭な合成樹脂材よりなる。箱体１は、上下両端が開口した中空の角柱体である。
前記箱体１はその中間に隆起部１１が設けられ、その一端方部に枠金嵌着部１２を形成するとともに、他端方部に印判本体４の上端開口部と嵌合するための凹部１３を複数個配設する。前記枠金嵌着部１２には、印字体２をその印字面２１のみが上端開口より露呈した状態に嵌装保持した枠金３を嵌着する。
【０００７】
印字体２は、上面に印字面２１を有し、ゴム、セラミックス、熱可塑性樹脂などの材質を用いることができる。本実施例では、前記印字体２をスポンジゴム等の無数の連続気泡を有する多孔質体としているが、非多孔質体であっても良い。図示しないが、印字体が多孔質体の場合、インキ吸蔵体を多孔質体の下面に配置してもよいものである。
枠金３の材質としては、ステンレス等の金属製を用いる。
【０００８】
印判本体４は、上端が開口した中空の有底角柱体である。印判本体４上端の全周に亘って段部を設けることで、大径のフランジ部４１と、小径の上端開口部４２を形成する。前記上端開口部４２の内周面には、前記凹部１３と嵌合する凸部４３を設け、また、外周面には、固定用溝５を設ける。
【０００９】
固定用溝５は、係合溝部５１と係止溝部５２からなる。係合溝部５１は、上端開口部４２の端面から下方に向かって設ける。また、前記係合溝部の下端から側方に向かって係止溝部５２を設ける。固定用溝５の数には特に制限がなく、複数個であっても当然よい。
【００１０】
印判本体４の印字体２側に、キャップ６を取り付ける。キャップ６は、下端が開口した中空の角柱体である。キャップ６の内周面には、係合突起６１を設ける。印判本体にキャップを取り付ける際、係合突起６１は、前記係合溝部５１と上下方向に摺動自在に係合し、また、係止溝部５２とは、側方にスライドして係止するように設ける。係合突起６１の数は、固定用溝の数に合わせればよい。また、上面にストラップ用の孔６２を設けてもよい。
ここまで、係合突起６１をキャップ６に、固定用溝５を印判本体４に設けた構成を説明してきたが、係合突起６１を印判本体４に、固定用溝５をキャップ６に設けても勿論よいものである。
【００１１】
本発明の第１の実施形態は以上のような構成であり、次にその作用を図８に基づいて詳細に説明する。
印判本体４にキャップ６を取り付けるときは、前記係合突起６１と係合溝部５１の位置を合わせながら、キャップ６を印判本体４の上面から被せる（図８Ａ）。係合突起６１は係合溝部中を下方に摺動して下端に到達する。この状態のとき、キャップの下端は前記フランジ部４１と当接する。
係合突起６１が下端に到達したら、次にキャップを側方にスライドする（図８Ｂ）。すると、前記係合突起６１は、係止溝部５２内を移動し、終点で係止する。この状態になると、キャップは上下方向に抜け止め状に取り付けられることになる。
キャップ６を印判本体４から取り外す場合は、上記と逆の作業をすればよい。
【００１２】
次に、本発明の第２の実施形態を、図４、５に基づいて詳細に説明する。ここでは、前記した実施形態と異なる点のみを説明する。
前記係合溝部５１の側面を、上端から下方に向かって傾斜する傾斜ガイド５３とする。傾斜ガイド５３は、係合溝部５１の側面全体に亘って設けてもよいし、側面の一部に設けてもよいものである。また、傾斜ガイド５３は係合溝部５１の両側面に設けてもよいものである。
【００１３】
本発明の第２の実施形態は以上のような構成であり、次にその作用について詳細に説明する。
印判本体４にキャップ６を取り付けるとき、第１の実施例では、前記係合突起６１と係合溝部５１の位置を合わせながら、キャップ６を印判本体４の上面から被せるものであるが、係合溝部５１の入り口が狭い場合、位置合わせに時間がかかる。
第２の実施形態では、入り口に傾斜ガイドがあるため、係合突起６１を容易に係合溝部５１に誘導することができ、印判本体４とキャップ６をより迅速に取り付けることができる。
【００１４】
次に、本発明の第３の実施形態を、図６、７に基づいて詳細に説明する。ここでは、前記した実施形態と異なる点のみを説明する。
前記係止溝部５２に、前記係合突起６１が嵌合する嵌合突部５４を設ける。
【００１５】
本発明の第３の実施形態は以上のような構成であり、次にその作用について詳細に説明する。
係合突起６１が下端に到達し、次にキャップを側方にスライドすると、前記係合突起６１は、係止溝部５２内を移動し、前記嵌合突部５４と嵌合して係止する。
この状態になると、キャップは上下方向に抜け止め状に取り付けられるとともに、この状態を維持することになるため、印判本体から不用意にキャップが外れることを防止することができる。
【００１６】
以上、本発明を前記実施形態により説明したが、本発明はこれらに限定されるものではなく、本発明の要旨を逸脱しない範囲内で種々の改良、変形が可能であることは勿論である。
【図面の簡単な説明】
【００１７】
【図１】本発明の第１の実施形態を示す斜視図
【図２】本発明の第１の実施形態を示す正面図
【図３】本発明の第１の実施形態を示す断面図
【図４】本発明の第２の実施形態を示す斜視図
【図５】本発明の第２の実施形態を示す正面図
【図６】本発明の第３の実施形態を示す斜視図
【図７】本発明の第３の実施形態を示す正面図
【図８】本発明のキャップの取付方を示す図
【符号の説明】
【００１８】
１    箱体
１１  隆起部
１２  枠金嵌着部
１３  凹部
２    印字体
２１  印字面
３    枠金
４    印判本体
４１  フランジ部
４２  上端開口部
４３  凸部
５    固定用溝
５１  係合溝部
５２  係止溝部
５３  傾斜ガイド
５４  嵌合突部
６    キャップ
６１  係合突起
６２  ストラップ用の孔
【図１】
2011051106.tif 000003
【図２】
2011051106.tif 000004
【図３】
2011051106.tif 000005
【図４】
2011051106.tif 000006
【図５】
2011051106.tif 000007
【図６】
2011051106.tif 000008
【図７】
2011051106.tif 000009
【図８】
2011051106.tif 000010